(57)【要約】      （修正有）【課題】物品を装飾するための物品のためのカバーを提供する。【解決手段】カバー１００は物品を装飾するために物品の表面上に覆われる。カバー１００は、少なくともグリセロール、ポリビニルアルコール、ポリエチレンオキシド、カルボキシメチルセルロースナトリウム、ポリオキシメチレンソルビタンモノラウレート、リン酸二水素ナトリウム二水和物、ホウ酸、２−フェノキシエタノール、ポリヘキサメチレンビグアニジン塩酸塩、クロロキシレノールおよびメチルパラベンから構成される。【選択図】図１
0003205630.tif 000002
【実用新案登録請求の範囲】
【請求項１】
物品を装飾するための物品のためのカバーであって、
前記カバーは、ポリビニルアルコール（ＰＶＡ）およびホウ酸から構成され、前記物品を装飾するために前記物品の表面上に覆われる、カバー。
【請求項２】
前記カバーの表面が前記物品の表面と接触する、請求項１に記載のカバー。
【請求項３】
前記物品の表面と接触する前記カバーの表面が接着可能な表面である、請求項２に記載のカバー。
【請求項４】
前記カバーの接着可能な表面が、前記カバーの表面上に液体を塗布することによって形成される、請求項３に記載のカバー。
【請求項５】
前記液体が水である、請求項４に記載のカバー。
【請求項６】
前記水が、前記カバーの表面全体を覆うように塗布される、請求項５に記載のカバー。
【請求項７】
前記カバーがさらに、水から構成される、請求項１に記載のカバー。
【請求項８】
前記水が少なくとも４９．５容量％である、請求項７に記載のカバー。
【請求項９】
前記カバーがさらに、少なくともグリセロール、ポリエチレンオキシド、カルボキシメチルセルロースナトリウム、ポリオキシメチレンソルビタンモノラウレート、リン酸二水素ナトリウム二水和物、２−フェノキシエタノール、ポリヘキサメチレンビグアニジン塩酸塩、クロロキシレノールおよびメチルパラベンから構成される、請求項７に記載のカバー。
【請求項１０】
前記グリセロールが２０容量％未満であり、前記ポリビニルアルコールが２０容量％未満であり、前記ポリエチレンオキシドが３容量％未満であり、前記カルボキシメチルセルロースナトリウムが２．５容量％未満であり、前記ポリオキシメチレンソルビタンモノラウレートが１．５容量％未満であり、前記リン酸二水素ナトリウム二水和物が０．９容量％未満であり、前記ホウ酸が０．９容量％未満であり、前記２−フェノキシエタノールが０．８容量％未満であり、前記ポリヘキサメチレンビグアニジン塩酸塩が０．３容量％未満であり、前記クロロキシレノールが０．３容量％未満であり、前記メチルパラベンが０．３容量％未満である、請求項９に記載のカバー。
【考案の詳細な説明】
【技術分野】
【０００１】
本開示は概してカバーに関し、より具体的には、本開示は物品のためのカバーに関する。
【背景技術】
【０００２】
ラミネートが、壁板、間仕切りのために利用され得、より小さい用途においては、デスク用ペンのための土台、たばこ用のライターなどとして利用され得る。一般に、ラミネート加工したプラスチックパネルは、プラスチックパネルの層の間に与えられる装飾物と共に使用されている。
【０００３】
典型的に、使用されるプラスチックは、装飾物がパネルの面において見えるように半透明または透明である。チョウおよび植物の形態が、半透明または透明材料のパネルの美観を高めるために、通常、パネル層の間に圧縮される装飾材料の種類の例であり、パネルの面の１つの局所領域への力の適用によって界面破壊がパネルにおいて誘導される。着色接着剤の層は第１のパネル層の破面と第２のパネル層の合わせ面との間で圧縮され、第２のパネル層は第１のパネル層と実質的に同様の形状および領域になる。次いで２つのパネル層は、ランダムなパターンで融合するように部分的に接着層が固定できるようにわずかに分離される。次いで２つの層が一緒に圧縮され、接着剤が固定される。
【考案の概要】
【課題を解決するための手段】
【０００４】
本開示は、特定の系および記載されている方法論に限定されず、本主題に明確に例示されていない本開示の複数の可能な実施形態が存在してもよいことは理解されるであろう。また、説明に使用される用語は、本主題の特定の型または実施形態を記載する目的のためだけであり、本主題の範囲を限定することを意図していないことは理解される。
【０００５】
本主題の一実施形態において、物品のためのカバーが提供される。そのカバーは、カバーの接着可能な表面が物品の表面と接触するように物品の表面上に覆われる。
【０００６】
別の実施形態において、カバー組成が提供される。カバー組成は、少なくとも水、グリセロール、ポリビニルアルコール、ポリエチレンオキシド、カルボキシメチルセルロースナトリウム、ポリオキシメチレンソルビタンモノラウレート、リン酸二水素ナトリウム二水和物、ホウ酸、２−フェノキシエタノール、ポリヘキサメチレンビグアニジン塩酸塩、クロロキシレノールおよびメチルパラベンを含む。
【０００７】
上述は、以下に続く本開示の詳細な説明がより良く理解できるようにかなり広範に本開示の特徴および技術的利点を概説している。本開示のさらなる特徴および利点は、本開示の請求の主題を形成する本明細書以下に記載される。開示される概念および特定の実施形態は、本開示の同じ目的を実施するための他の構造の変形または設計の根拠として容易に利用され得ることは理解されるべきである。また、このような等価の構造は添付の請求項に記載される本開示から逸脱しないように実現されるべきである。さらなる対象および利点と共に、本開示の性質と考えられる新規特徴、その機構および操作方法の両方は、添付の図面を考慮して以下の説明からより良く理解されるであろう。しかしながら、図面の各々は、例示および説明の目的のためだけに提供され、本開示の限定の定義を意図していないことは明確に理解されるべきである。
【０００８】
本開示の理解をより完全にするために、ここで添付の図面を参照して以下の説明がなされる。
【図面の簡単な説明】
【０００９】
【図１】一実施形態に係る物品のためのカバーを例示する。
【図２】一実施形態に係る物品を覆うための方法を例示する。
【図３】一実施形態に係る図１に示されるカバーによって装飾されるペン立てを例示する。
【図４】一実施形態に係る図１に示されるカバーによって装飾されるフォトフレームを例示する。
【考案を実施するための形態】
【００１０】
本開示の実施形態は、いくつかの図面にわたって同様の数字が同様の要素を表し、例示的な実施形態を示す、添付の図面を参照して本明細書以下により完全に記載される。しかしながら、請求項の実施形態は、多くの異なる形態で実施されてもよく、本明細書に記載される実施形態に限定すると解釈されるべきではない。本明細書に記載される例は非限定的な例であり、他の可能な例の中での単なる例である。
【００１１】
全てのその特徴を例示する本開示のいくつかの実施形態をここで詳細に説明する。「備える」、「有する」、「含有する」および「含む」という用語ならびにそれらの他の形態は、等価の意味であり、オープンエンドあることを意味し、すなわち、これらの用語のいずれか１つの前に記載される物品（複数も含む）が、このような物品（複数も含む）の包括的なリストであることを意味していないか、または記載されている物品（複数も含む）のみに限定することを意味していない。
【００１２】
また、本明細書および添付の請求項に使用される場合、単数形「１つの」、および「その」は、文脈が他に明確に指定しない限り、複数の参照を含むことに留意されたい。本明細書に記載されるものと同様または等価の任意のシステムおよび方法が、本開示の実施形態の実施または試験に使用されてもよいが、好ましいシステムおよび方法がここに記載される。
【００１３】
図１は、一実施形態に係るビーズとしても参照されるカバー１００を例示する。この実施形態によれば、カバー１００はフレキシブルなシートであるが、カバー１００はフレキシブルなシートのみに限定されず、ワイヤ、円筒などの任意の形状であってもよい。一例において、カバー１００は、水、グリセロール、ポリビニルアルコール、ポリエチレンオキシド、カルボキシメチルセルロースナトリウム、ポリオキシメチレンソルビタンモノラウレート、リン酸二水素ナトリウム二水和物、ホウ酸、２−フェノキシエタノール、ポリヘキサメチレンビグアニジン塩酸塩、クロロキシレノールおよび／またはメチルパラベンから作製され得る。一実施形態によれば、カバー１００は、４９．５容量％超の水、２０容量％未満のグリセロール、２０容量％未満のポリビニルアルコール、３容量％未満のポリエチレンオキシド、２．５容量％未満のカルボキシメチルセルロースナトリウム、１．５容量％未満のポリオキシメチレンソルビタンモノラウレート、０．９容量％未満のリン酸二水素ナトリウム二水和物、０．９容量％未満のホウ酸、０．８容量％未満の２−フェノキシエタノール、０．３容量％未満のポリヘキサメチレンビグアニジン塩酸塩、０．３容量％未満のクロロキシレノール、および０．３容量％未満のメチルパラベンから構成される。
【００１４】
ここで図２を参照すると、物品を覆う方法２００が例示される。物品は、実際の任意の対象物、例えば、ペン立て、フォトフレーム、ポスターまたはカード、花瓶、電球カバー、プラスチックボトルなどであってもよい。ステップ２０２において、カバー１００が提供される。カバー１００はポリビニルアルコール（ＰＶＡ）およびホウ酸から構成されてもよい。一実施形態において、カバーはペースト形状である。カバー１００は、対象物の周りを覆う場合、対象物に対して粘性であってもよく、それ故、カバー１００は対象物の輪郭の形になる。一例において、カバー１００は、水、グリセロール、ポリビニルアルコール、ポリエチレンオキシド、カルボキシメチルセルロースナトリウム、ポリオキシメチレンソルビタンモノラウレート、リン酸二水素ナトリウム二水和物、ホウ酸、２−フェノキシエタノール、ポリヘキサメチレンビグアニジン塩酸塩、クロロキシレノールおよびメチルパラベンから作製されてもよい。一例において、任意の他の中性溶媒が水の代わりに提供されてもよい。
【００１５】
液体が、表面を接着可能な表面に変換するためにカバー１００の表面に塗布されてもよい。液体は例えば水であってもよい。しかしながら、任意の他の液体が塗布されてもよい。
【００１６】
ステップ２０４において、カバー１００は物品の表面上に覆われる。カバー１００の接着可能な表面が物品の表面と接触するようにカバー１００は覆われる。
【００１７】
図３は、本主題の例に従ってカバー１００で装飾されたペン立てを例示する。ペン立てを装飾するために、液体がカバー１００の表面に塗布される。カバー１００の表面上への液体の塗布はカバー１００の表面を接着可能な表面に変換する。接着可能な表面は、接着するものが表面上に適用されるように任意の表面上に粘着性を有してもよい。液体は水または任意の他の水性液体であってもよい。続いて、カバー１００はペン立ての表面上に覆われる。カバー１００の接着可能な表面がペン立ての表面と接触するようにカバー１００は覆われる。あるいは、カバー１００は物品の表面上で覆うために直接使用されてもよい。覆う際に、カバー１００はペン立ての表面に接着する。さらに、グリッター、シークイン、宝石および／または任意の他のこのような装飾物品が、カバー１００が物品の表面に接着または直接適用された場合、審美的な外観を提供するためにカバー１００の表面に適用されてもよい。一例によれば、カバー１００は、カバー１００の組成に色を加えることによって異なる色であってもよい。カバー１００がペン立ての表面上に覆われた後、カバー１００を有するペン立ては、カバー１００とペン立ての表面との間に強力な結合を提供するために、所定の時間、例えば２４時間静置される。
【００１８】
図４は、本主題の一例によるカバー１００で装飾されたフォトフレームを例示する。カバー１００は、その表面に液体が塗布され、フォトフレームを装飾するためにその境界に貼り付けられる。
【００１９】
上記の例はフォトフレームおよびペンを参照して説明される。しかしながら、カバー１００は、限定されないが、ポスターまたはカード、花瓶、電球カバー、プラスチックボトル、玩具などを含む、任意の実際の物品を装飾または覆うために使用されてもよい。
【００２０】
最後に、開示された実施形態は、請求された開示をどのように行い、使用するかの現在好ましい例であり、以下の請求項によって定義される本開示の範囲を限定するというより例示的であることを意図することは理解されるであろう。前述の明細書および図面における例示した実施例の妥当な変形および修飾が、以下の請求項に定義される本開示の範囲から逸脱せずに可能である。さらに、「開示」という用語が、記載されている明細書中で使用される範囲で、請求もしくは開示される開示または任意のこのような開示の範囲に関して、限定される用語と解釈されるべきではないが、技術の新規および有用な改良を記載するために簡便および広範に使用されていることは理解されるべきである。したがって上記の開示によって支持される開示の範囲は、それが当業者に教示し、示唆する範囲内であり、上記の開示が支持するいずれかの請求項の範囲内であると解釈されるべきである。したがって本開示の範囲は以下の請求項によって定義される。
【図１】
0003205630.tif 000003
【図２】
0003205630.tif 000004
【図３】
0003205630.tif 000005
【図４】
0003205630.tif 000006